(57)【特許請求の範囲】
【請求項１】
感光体を備える感光体ユニットと、
現像剤を担持する現像剤担持体を備え、前記感光体ユニットに支持される現像器と、
前記感光体ユニットに支持される被支持部を備え、現像剤を収容する現像剤カートリッジと
を備え、
前記現像器は、前記現像剤カートリッジの前記被支持部を中心として、前記現像剤カートリッジと一体的に揺動されることにより、前記現像剤担持体が前記感光体に対して接触または離間されるように構成されていることを特徴とする、画像形成装置。
【請求項２】
前記現像器を前記感光体に向かって押圧する押圧部材を備えることを特徴とする、請求項１に記載の画像形成装置。
【請求項３】
前記現像器の前記現像剤担持体を前記感光体に対して離間させる離間部材を備え、
前記離間部材は、
前記現像器を押圧することにより、前記現像剤担持体を前記感光体から離間させ、
前記現像器に対する押圧を解除することにより、前記現像剤担持体の前記感光体に対する接触を許可することを特徴とする、請求項２に記載の画像形成装置。
【請求項４】
前記離間部材が、前記現像剤担持体を前記感光体から離間させるときに前記現像器を押圧する押圧力は、前記押圧部材が、前記現像器を押圧する押圧力よりも大きいことを特徴とする、請求項３に記載の画像形成装置。
【請求項５】
前記現像剤カートリッジは、中空の略円柱形状に形成されており、
前記被支持部は、前記現像剤カートリッジの中心軸線上に設けられていることを特徴とする、請求項１ないし４のいずれか一項に記載の画像形成装置。
【請求項６】
前記現像剤カートリッジは、
現像剤を収容し、現像剤の通過を許容する第１開口が形成された収容部材本体と、
前記第１開口を露出して現像剤の通過を許容する開位置と、前記第１開口を被覆して現像剤の通過を規制する閉位置とに移動可能な第１シャッタ部材とを備え、
前記第１シャッタ部材は、前記第１シャッタ部材を開閉させるときに把持される把持部を備えていることを特徴とする、請求項１ないし５のいずれか一項に記載の画像形成装置。
【請求項７】
前記現像器は、前記現像剤担持体を備える現像器本体を備え、
前記現像剤カートリッジは、前記現像剤カートリッジが前記感光体ユニットに装着されたときに前記収容部材本体を前記現像器本体に固定するための第１固定部材を備えていることを特徴とする、請求項６に記載の画像形成装置。
【請求項８】
前記現像器本体には、現像剤の通過を許容する第２開口が形成されており、
前記現像器は、前記現像剤カートリッジが前記感光体ユニットに装着されたときに前記第１シャッタ部材に対向され、前記第２開口を露出して現像剤の通過を許容する開位置と、前記第２開口を被覆して現像剤の通過を規制する閉位置とに移動可能な第２シャッタ部材を備え、
前記現像剤カートリッジは、前記現像剤カートリッジが前記感光体ユニットに装着されたときに前記第１シャッタ部材を前記第２シャッタ部材に固定するための第２固定部材を備えていることを特徴とする、請求項７に記載の画像形成装置。
【請求項９】
前記収容部材本体は、中空の略円柱形状に形成されており、
前記第１シャッタ部材は、前記収容部材本体の外周に沿う断面略円弧形状に形成され、前記収容部材本体に対して回動されることにより開閉されることを特徴とする、請求項６ないし８のいずれか一項に記載の画像形成装置。
【請求項１０】
前記第１シャッタ部材は、前記被支持部を中心として回動されることを特徴とする、請求項９に記載の画像形成装置。
【請求項１１】
前記感光体ユニットは、前記感光体の長手方向に互いに間隔を隔てて対向配置される１対の側板を備え、
前記側板には、前記被支持部を支持し、前記現像剤カートリッジの着脱を案内するためのガイド溝が形成されていることを特徴とする、請求項１ないし１０のいずれか一項に記載の画像形成装置。
【請求項１２】
前記感光体ユニットの前記１対の側板には、前記現像器を揺動可能に保持する１対の現像器支持溝が形成されていることを特徴とする、請求項１１に記載の画像形成装置。
【発明の詳細な説明】
【技術分野】
【０００１】
本発明は、レーザプリンタなどの画像形成装置に関する。
【背景技術】
【０００２】
電子写真方式のカラープリンタとして、感光体と、感光体にトナーを供給する現像ローラとを備えるプロセスカートリッジを、イエロー、マゼンタ、シアン、ブラックの各色のトナーに対応して備えるタンデム型カラーレーザプリンタが知られている。
【０００３】
このようなタンデム型カラーレーザプリンタに備えられるプロセスカートリッジとして、例えば、感光体ドラムを備えるドラムユニットと、現像ローラを備え、トナーを収納する現像ユニットとを備え、装置本体に対して着脱可能なプロセスカートリッジが提案されている（たとえば、特許文献１参照。）。
【０００４】
このプロセスカートリッジでは、現像ユニットは、現像枠体とカバー部材とを一体的に備えており、現像枠体から突出して設けられる突出部と、カバー部材から突出して設けられる円筒部とで、ドラムユニットに対して回転可能に支持されている。
【０００５】
そして、突出部および円筒部を回転中心として、現像ユニットは、ドラムユニットに対して回転され、現像ローラと感光体ドラムとが離間される。
【先行技術文献】
【特許文献】
【０００６】
【特許文献１】特開２００７−２１３０２５号公報
【発明の概要】
【発明が解決しようとする課題】
【０００７】
しかるに、上記した特許文献１では、プロセスカートリッジは、現像ユニットとドラムユニットとを一体的に備え、装置本体に対して着脱可能に設けられている。また、現像ユニットは、突出部および円筒部を回転中心として回転され、これにより、現像ローラと感光体ドラムとが離間される。
【０００８】
ここで、現像ユニットを、トナー（現像剤）を収容する現像剤カートリッジと、現像ローラを備える現像器とに分離可能な構成とし、ドラムユニット（感光体ユニット）に対して、現像剤カートリッジのみを交換することが要求される場合がある。
【０００９】
この場合にも、現像ローラを感光体ドラムに対して離間させるために、現像器に回転中心を設け、現像器を回転させて現像ローラと感光体ドラムとを離間させる構成が検討される。
【００１０】
しかし、現像器に回転中心を設けると、現像剤カートリッジを感光体ユニットに対して着脱させるときに、現像器が回転するため、現像剤カートリッジを現像器に対して位置決めすることが困難になり、その結果、現像剤カートリッジの感光体ユニットに対する着脱が困難になる。
【００１１】
そこで、本発明の目的は、現像剤カートリッジを感光体ユニットに対して容易に着脱させることができる画像形成装置を提供することにある。
【課題を解決するための手段】
【００１２】
上記した目的を達成するため、本発明は、画像形成装置であって、感光体を備える感光体ユニットと、現像剤を担持する現像剤担持体を備え、前記感光体ユニットに支持される現像器と、前記感光体ユニットに支持される被支持部を備え、現像剤を収容する現像剤カートリッジとを備え、前記現像器は、前記現像剤カートリッジの前記被支持部を中心として、前記現像剤カートリッジと一体的に揺動されることにより、前記現像剤担持体が前記感光体に対して接触または離間されるように構成されていることを特徴としている。
【発明の効果】
【００１３】
本発明によれば、現像剤カートリッジは、感光体ユニットに支持される被支持部を備え、現像器が現像剤カートリッジの被支持部を中心として揺動されることにより、現像剤担持体が感光体に対して接触または離間される。
【００１４】
そのため、被支持部において、現像剤カートリッジを感光体ユニットに対して容易に位置決めすることができ、位置決めされた現像剤カートリッジの被支持部を中心として、すなわち、現像剤カートリッジを感光体ユニットに対して位置固定した状態で、現像器を揺動させることができる。
【００１５】
その結果、現像器の現像剤担持体が感光体に対して接離可能に構成されている場合であっても、現像剤カートリッジを感光体ユニットに対して容易に着脱させることができる。
【図面の簡単な説明】
【００１６】
【図１】本発明の画像形成装置の一例としてのカラーレーザプリンタを示す側断面図である。
【図２】図１に示すドロワユニットの左上から見た斜視図である。
【図３】図２に示すドロワユニットの側断面図である。
【図４】図２に示すドロワユニットの平面図である。
【図５】図１に示すトナーカートリッジの閉状態を示し、（ａ）は、左下から見た斜視図であり、（ｂ）は、左側面図である。
【図６】図１に示すトナーカートリッジの開状態を示す左下から見た斜視図である。
【図７】図１に示すトナーカートリッジの取っ手部材を起立させた状態を示し、（ａ）は、左前から見た斜視図であり、（ｂ）は、左側面図である。
【図８】ドロワユニットに対するトナーカートリッジの装着を説明するための説明図である。
【図９】本体ケーシングに装着されたプロセスユニットを示し、（ａ）は、プロセスユニットを右下から見た斜視図であり、（ｂ）は、プロセスユニットの正面図である。
【図１０】本体ケーシングに装着されたプロセスユニットを説明するための説明図であって、（ａ）は、すべての現像器が、対応する離間カムによって押圧されている状態を示し、（ｂ）は、すべての現像ローラが、対応する感光ドラムから離間されている状態を示す。
【図１１】カラーレーザプリンタのテストパターン読取動作を説明するための説明図である。
【図１２】カラーレーザプリンタのカラーモードによる画像形成動作を説明するための説明図であって、プロセスユニットを右下から見た斜視図を示す。
【図１３】カラーレーザプリンタのカラーモードによる画像形成動作を説明するための説明図であって、（ａ）は、すべての現像器が、対応する離間カムによる押圧が解除されている状態を示し、（ｂ）は、すべての現像ローラが、対応する感光ドラムに接触されている状態を示す。
【図１４】カラーレーザプリンタのモノクロモードによる画像形成動作を説明するための説明図であって、プロセスユニットを右下から見た斜視図を示す。
【図１５】カラーレーザプリンタのモノクロモードによる画像形成動作を説明するための説明図であって、（ａ）は、ブラック現像器の、対応する離間カムによる押圧が解除されるとともに、ブラック以外の現像器が、対応する離間カムによって押圧されている状態を示し、（ｂ）は、ブラックの現像ローラが、対応する感光ドラムに接触されるとともに、ブラック以外の現像ローラが、対応する感光ドラムから離間されている状態を示す。
【発明を実施するための形態】
【００１７】
１．カラーレーザプリンタの全体構成
図１に示すように、画像形成装置の一例としてのカラーレーザプリンタ１は、横置きタイプのダイレクトタンデム型カラーレーザプリンタである。カラーレーザプリンタ１は、装置本体の一例としての本体ケーシング２内に、用紙Ｐを給紙するための給紙部３と、給紙された用紙Ｐに画像を形成するための画像形成部４とを備えている。
（１）本体ケーシング
本体ケーシング２は、給紙部３および画像形成部４を収容する側面視略矩形状のボックス状に形成されており、その一方側壁には、後述するプロセスユニット１０を着脱させるためのフロントカバー５が形成されている。フロントカバー５は、本体ケーシング２に対して下端部を支点として揺動自在に設けられている。
【００１８】
なお、以下の説明において、フロントカバー５が設けられる側（図１における紙面右側）を前側とし、その反対側（図１における紙面左側）を後側とする。また、カラーレーザプリンタ１を前側から見たときを左右の基準とする。すなわち、図１の紙面手前側が左側であり、紙面奥側が右側である。
（２）給紙部
給紙部３は、用紙Ｐを収容する給紙トレイ６を備えている。給紙トレイ６は、本体ケーシング２内の底部に着脱自在に装着されている。給紙トレイ６の前端部上側には、１対の給紙ローラ７が設けられている。また、両給紙ローラ７の上側には、１対のレジストローラ８が設けられている。
【００１９】
給紙トレイ６に収容されている用紙Ｐは、両給紙ローラ７の回転により、両レジストローラ８間に向けて１枚ずつ給紙され、所定のタイミングで、画像形成部４（感光ドラム１５（後述）と搬送ベルト２４（後述）との間）に向けて搬送される。
（３）画像形成部
画像形成部４は、露光手段の一例としてのスキャナユニット９、画像形成ユニットの一例としてのプロセスユニット１０、転写ユニット１１、および定着ユニット１２を備えている。
（３−１）スキャナユニット
スキャナユニット９は、本体ケーシング２の上部に配置され、下端部において、４つの感光ドラム１５（後述）に対応するように、前後方向に互いに間隔を隔てて並列配置される４つの出射口１７を備えている。スキャナユニット９は、実線で示すように、各出射口１７から、対応するトナーカートリッジ１４（後述）の後側を通過して各感光ドラム１５（後述）に向かうように、画像データに基づいて、レーザービームをそれぞれ出射し、感光ドラム１５（後述）を露光する。
（３−２）プロセスユニット
（３−２−１）プロセスユニットの構成
プロセスユニット１０は、スキャナユニット９の下側であって、転写ユニット１１の上側に配置されており、１つの感光体ユニットの一例としてのドロワユニット１３と、各色に対応する４つの現像剤カートリッジの一例としてのトナーカートリッジ１４とを備えている。また、プロセスユニット１０は、本体ケーシング２に収容される収容位置と、本体ケーシング２から引き出される引出位置とにスライド可能に設けられている。
【００２０】
ドロワユニット１３は、本体ケーシング２に対して、前後方向に沿ってスライド可能に設けられ、感光体の一例としての感光ドラム１５、スコロトロン型帯電器１６および現像器１８を備えている。
【００２１】
感光ドラム１５は、左右方向に長手の円筒形状に形成されており、左右に沿って設けられ、前後方向に互いに間隔を隔てて、４つ並列配置されている。具体的には、前側から後側に向かって、ブラック感光ドラム１５Ｋ、イエロー感光ドラム１５Ｙ、マゼンタ感光ドラム１５Ｍおよびシアン感光ドラム１５Ｃが、順次配置されている。
【００２２】
各スコロトロン型帯電器１６は、各感光ドラム１５に対応するように、感光ドラム１５の斜め後側上側に、感光ドラム１５と間隔を隔てて対向配置されている。
【００２３】
各現像器１８は、各感光ドラム１５に対応するように、感光ドラム１５の上側において、ドロワユニット１３に支持されている。具体的には、前側から後側に向かって、ブラック現像器１８Ｋ、イエロー現像器１８Ｙ、マゼンタ現像器１８Ｍおよびシアン現像器１８Ｃが、順次配置されている。また、各現像器１８は、それぞれ、現像剤担持体の一例としての現像ローラ１９を備えている。
【００２４】
現像ローラ１９は、後述するが、現像器１８の下端において、後側から露出されるように回転可能に支持されており、感光ドラム１５に対して前上側から対向し、接触されている。
【００２５】
なお、現像器１８は、現像ローラ１９にトナーを供給する供給ローラ２０、現像ローラ１９に供給されたトナーの厚みを規制する層厚規制ブレード２１を備えている。
【００２６】
トナーカートリッジ１４は、各現像器１８に対応するように、現像器１８の上側においてドロワユニット１３に支持されている。具体的には、前側から後側に向かって、ブラックトナーカートリッジ１４Ｋ、イエロートナーカートリッジ１４Ｙ、マゼンタトナーカートリッジ１４Ｍおよびシアントナーカートリッジ１４Ｃが、順次配置されている。ドロワユニット１３に着脱可能に支持されている。トナーカートリッジ１４には、各色に対応する現像剤の一例としてのトナーが収容されている。
（３−２−２）プロセスユニットでの現像動作
トナーカートリッジ１４内のトナーは、現像器１８の供給ローラ２０に供給され、さらに、現像ローラ１９に供給される。
【００２７】
現像ローラ１９に供給されたトナーは、現像ローラ１９の回転に伴って、層厚規制ブレード２１によって厚さが規制され、一定厚さの薄層として現像ローラ１９の表面に担持される。また、現像ローラ１９に供給されたトナーは、層厚規制ブレード２１と現像ローラ１９との間で正極性に摩擦帯電される。
【００２８】
一方、感光ドラム１５の表面は、感光ドラム１５の回転に伴って、スコロトロン型帯電器１６により一様に正帯電された後、スキャナユニット９からのレーザービーム（図１破線参照。）の高速走査により露光される。これにより、用紙Ｐに形成すべき画像に対応した静電潜像が感光ドラム１５の表面に形成される。
【００２９】
感光ドラム１５がさらに回転すると、現像ローラ１９の表面に担持され、かつ、正帯電されているトナーが、感光ドラム１５の表面に形成されている静電潜像に供給される。これにより、感光ドラム１５の静電潜像は可視像化され、感光ドラム１５の表面には、反転現像によるトナー像が担持される。
（３−３）転写ユニット
転写ユニット１１は、本体ケーシング２内において、給紙部３の上側であって、プロセスユニット１０の下側において、前後方向に沿って配置されている。この転写ユニット１１は、駆動ローラ２２、従動ローラ２３、搬送ベルト２４、および４つの転写ローラ２５を備えている。
【００３０】
駆動ローラ２２および従動ローラ２３は、前後方向に間隔を隔てて対向配置されている。
【００３１】
搬送ベルト２４は、各感光ドラム１５に対して上下方向に対向し、その上側部分が各感光ドラム１５と接触するように、駆動ローラ２２および従動ローラ２３の周りに巻回されている。また、搬送ベルト２４は、駆動ローラ２２の駆動により、各感光ドラム１５と接触する搬送ベルト２４の上側部分が前側から後側に向かって移動するように、周回移動されている。
【００３２】
各転写ローラ２５は、各感光ドラム１５と、それぞれ搬送ベルト２４の上側部分を挟んで対向するように、設けられている。
【００３３】
そして、給紙部３から給紙された用紙Ｐは、搬送ベルト２４によって、前側から後側に向かって、各感光ドラム１５と各転写ローラ２５とが対向する転写位置を順次通過するように搬送される。その搬送中に、各感光ドラム１５に担持されている各色のトナー像が、用紙Ｐに順次転写され、カラー画像が形成される。
（３−４）定着ユニット
定着ユニット１２は、転写ユニット１１の後側に配置され、加熱ローラ２６、および加熱ローラ２６に対向する加圧ローラ２７を備えている。転写ユニット１１において、用紙Ｐに転写されたカラー画像は、用紙Ｐが加熱ローラ２６と加圧ローラ２７との間を通過する間に、加熱および加圧されることによって用紙Ｐに熱定着される。
（４）排紙
トナー像が定着した用紙Ｐは、各排紙ローラ２８によって、図示しないＵターンパスを通過するように搬送され、スキャナユニット９の上側に形成される排紙トレイ２９上に排紙される。
２．プロセスユニットの詳細
（１）ドロワユニット
ドロワユニット１３は、図２に示すように、平面視略矩形枠形状のドロワフレーム３１と、ドロワフレーム３１に支持される各現像器１８とを備えている。
（１−１）ドロワフレーム
ドロワフレーム３１は、左右１対の側板３２、両側板３２の前端部間に架設されるフロントビーム３３、および、両側板３２の後端部間に架設されるリヤビーム３４を備えている。
【００３４】
両側板３２は、前後方向に長手の側面視略矩形状に形成され、左右において互いに間隔を隔てて対向配置されている。両側板３２間には、各感光ドラム１５、各スコロトロン型帯電器１６および各現像器１８が、左右両側から挟まれるように支持されている。
【００３５】
また、両側板３２には、ガイド溝の一例としてのカートリッジガイド溝３５、離間カム収容部３６、および、１対の現像器支持溝３９（図３参照）が形成されている。
【００３６】
カートリッジガイド溝３５は、側板３２の左右内側において、側板３２の上端部から下方に向かって、現像器１８の手前まで切り欠かれ、上端部が開放された側面視略Ｙ字形状に形成されている。カートリッジガイド溝３５は、トナーカートリッジ１４のカートリッジ支持部９５（後述）を受け入れ可能な溝幅に形成されている。
【００３７】
また、カートリッジガイド溝３５の前方には、外側筐体嵌合溝３７が、カートリッジガイド溝３５に連通されるように形成されている。
【００３８】
外側筐体嵌合溝３７は、カートリッジガイド溝３５の前端部から連続して、前下側に向かって湾曲する側面視略円弧形状に切り欠き形成されている。また、外側筐体嵌合溝３７は、外側筐体８２（後述）の係合片９８（後述）を、わずかに遊びを有するように受け入れ可能な溝幅に形成されている。
【００３９】
離間カム収容部３６は、カートリッジガイド溝３５の下側、かつ、現像器１８の左右外側において、側板３２の左右内面から、側板３２の左右途中まで切り欠かれる側面視略矩形状に形成されている。
【００４０】
離間カム収容部３６には、離間カム露出穴４０および現像ローラ軸挿通穴４３が形成されており（図２および図９参照）、離間部材の一例としての離間カム３８が収容されている。
【００４１】
離間カム露出穴４０は、側板３２の上端部において、上下方向に延びる長穴として、左右に貫通形成されている。離間カム露出穴４０は、左右内側端部において、離間カム収容部３６の上端部に連通されている。
【００４２】
現像ローラ軸挿通穴４３は、側板３２の上下方向略中央において、離間カム露出穴４０の後下側に配置され、前後方向に延びる長穴として、左右に貫通形成されている。現像ローラ軸挿通穴４３は、左右内側端部において、離間カム収容部３６の下端部に連通されている。
【００４３】
離間カム３８は、図１０（ａ）に示すように、略円柱形状の支点部４６、支点部４６から連続して下方に向かって延びる押圧杆４７、および、支点部４６から連続して前方に延びる操作杆４８を一体的に備え、側面視略Ｌ字形状に形成されている。
【００４４】
支点部４６は、左右に投影したときに、現像ローラ１９の上方に配置されるように、離間カム収容部３６内に回転自在に支持されている。
【００４５】
押圧杆４７は、支点部４６から下方に向かって、現像ローラ軸６９（後述）の前方まで延び、下端部において、現像ローラ軸６９（後述）に後方から対向されている。また、押圧杆４７の下端部には、現像ローラ軸６９（後述）に当接される側面視略矩形状の当接部５０が、前方に向かって突出するように形成されている。
【００４６】
操作杆４８は、支点部４６から前方に向かって延びている。また操作杆４８の前端部には、左右外側に向かって延びる略円柱形状の操作部４９が設けられている。操作部４９は、その左右外側端部が側板３２よりも左右外側に露出されるように、離間カム収容部３６の離間カム露出穴４０に内側から挿通されている。操作杆４８は、その前端部において、圧縮ばね５１により、常には、下側から上側に向かって付勢されている。
【００４７】
現像器支持溝３９は、図３に示すように、側板３２の左右内側において、離間カム収容部３６の上端部を前後から挟むように、前後方向に互いに間隔を隔てて配置されている。両現像器支持溝３９は、側面視において、カートリッジガイド溝３５の下端部を中心とする円周に沿って延びる長穴として形成されている。両現像器支持溝３９は、現像器１８の現像器支持ボス７０（後述）を受け入れ可能な溝幅に形成されている。
（１−２）現像器
現像器１８は、図３および図４に示すように、現像器本体の一例としての現像フレーム６１と、第２シャッタ部材の一例としての現像シャッタ６２とを備えている。
【００４８】
現像フレーム６１は、左右に延び、後下側へ向かう頂角を有する側面視略二等辺三角形のボックス形状に形成されている。また、現像フレーム６１の下端部は、後側へ向かって開放されている。現像フレーム６１の下端部には、現像ローラ１９が回転自在に支持されている。
【００４９】
現像フレーム６１の上壁は、対応するトナーカートリッジ１４の外周面に沿うように、上方に向かって開放された側面視略円弧形状に形成されている。また、現像フレーム６１の上端部には、３つの第２開口の一例としての現像開口６４と、左右１対のカートリッジ固定穴６５とが形成されている。
【００５０】
各現像開口６４は、現像フレーム６１の上壁を上下方向に貫通するように、左右に延びる平面視略矩形状に形成されており、左右に互いに間隔を隔てて直列配置されている。各現像開口６４は、トナーの通過を許容する。
【００５１】
カートリッジ固定穴６５は、現像フレーム６１の左右両端部の上壁において、平面視略矩形状に形成されている。カートリッジ固定穴６５は、トナーカートリッジ１４のカートリッジ固定突起９１（後述）と嵌合可能に形成されている。
【００５２】
現像シャッタ６２は、現像フレーム６１の上壁に前後方向にスライド可能に支持され、対応するトナーカートリッジ１４の外周面に沿うように、上方に向かって開放された側面視略円弧状の平板形状に形成されている。
【００５３】
また、現像シャッタ６２には、３つの現像シャッタ開口６６、左右１対のカートリッジ固定突起挿通穴６８、および、左右１対のシャッタ固定穴６７が形成されている。
【００５４】
各現像シャッタ開口６６は、現像開口６４に対応するように、平面視略矩形状に形成され、左右に互いに間隔を隔てて直列配置されている。
【００５５】
カートリッジ固定突起挿通穴６８は、現像シャッタ６２の左右両端部において、現像器１８のカートリッジ固定穴６５に対応するように配置されており、現像シャッタ６２のスライド距離とほぼ同等の前後方向長さの平面視略矩形状に形成されている。カートリッジ固定突起挿通穴６８は、現像シャッタ６２がスライドされるときには、常に、カートリッジ固定穴６５を露出させる。
【００５６】
シャッタ固定穴６７は、カートリッジ固定突起挿通穴６８の後端部の左右内側に配置され、平面視略矩形状に貫通形成されている。シャッタ固定穴６７は、外側筐体８２（後述）のシャッタ固定突起８５（後述）を受け入れ可能に形成されている。
【００５７】
現像シャッタ６２は、各現像開口６４を閉鎖する閉位置（図３参照）と、閉位置から後方にスライドされ、各現像開口６４を開放する開位置（図１０（ｂ）参照）とに移動される。
【００５８】
現像シャッタ６２が閉位置にあるときには、各現像シャッタ開口６６が各現像開口６４よりも前方に配置され、現像シャッタ６２によって各現像開口６４が被覆され、トナーの通過が規制されている。
【００５９】
また、現像シャッタ６２が開位置にあるときには、各現像シャッタ開口６６が各現像開口６４に対向配置され、各現像開口６４が露出され、トナーの通過が許容される。
【００６０】
また、現像フレーム６１内には、オーガ７１が配置されている。
【００６１】
オーガ７１は、左右に延び、現像開口６４の下方において回転自在に設けられている。オーガ７１は、回転することにより、トナーカートリッジ１４から現像フレーム６１に供給されたトナーを左右に搬送する。
【００６２】
また、現像フレーム６１内には、上記したように、オーガ７１に対して上下方向にわずかな間隔を隔てて対向する供給ローラ２０、供給ローラ２０に対して後方斜め下方から接触される現像ローラ１９、現像ローラ１９に上方から接触される層厚規制ブレード２１が設けられている。
【００６３】
なお、現像ローラ１９は、回転軸として、現像ローラ軸６９を備えている。
【００６４】
現像ローラ軸６９は、その左右両端部において、現像器１８に回転自在に支持されている。また、現像ローラ軸６９の左右両端部は、現像器１８の左右両側壁を貫通してドロワフレーム３１の両側板３２に向かって突出され、離間カム収容部３６の下端部内に配置されている。
【００６５】
また、現像フレーム６１は、前後１対の現像器支持ボス７０を備えている。
【００６６】
各現像器支持ボス７０は、現像フレーム６１の上壁において、左右両端部から左右外側へ向かって突出する略円筒形状に形成されている。
【００６７】
そして、各現像器支持ボス７０が、それぞれ、対応する現像器支持溝３９にスライド可能に嵌合されることにより、現像器１８が、ドロワフレーム３１に対して、カートリッジガイド溝３５の下端部を中心として、前後方向に揺動可能に保持されている。現像器１８は、前側に向かって揺動されることにより、感光ドラム１５に接触され、後側に向かって揺動されることにより、感光ドラム１５から離間される。
（２）トナーカートリッジ
トナーカートリッジ１４は、図５（ａ）に示すように、左右に延びる略円筒形状に形成されている。トナーカートリッジ１４は、収容部材本体および筐体の一例としての内側筐体８１、第１シャッタ部材およびシャッタの一例としての外側筐体８２、および、把持部８７を備えている。
（２−１）内側筐体
内側筐体８１は、図５（ａ）および図６に示すように、左右に延びる中空の略円柱形状に形成されている。内側筐体８１は、内部にトナーを収容している。
【００６８】
内側筐体８１には、被支持部の一例としてのカートリッジ支持部９５、第１固定部材の一例としてのカートリッジ固定突起９１、および、被押圧部９４が設けられ、３つの第１開口および開口の一例としてのカートリッジ開口８３が形成されている。
【００６９】
カートリッジ支持部９５は、内側筐体８１の中心軸線上に設けられ、内側筐体８１の左右両端部から左右外側へ向かって延びる略円柱形状に形成されている。
【００７０】
カートリッジ開口８３は、内側筐体８１の下端部において、現像開口６４に対応するように、平面視略矩形状に形成され、左右に互いに間隔を隔てて直列配置されている。
【００７１】
カートリッジ固定突起９１は、内側筐体８１の左右両端部において、下端部から下方に突出する略角柱形状に形成されている。
【００７２】
被押圧部９４は、内側筐体８１の上端部において、前側に向かって突出するように、前上側に向かう頂部を有し、上端部が前後方向に延びる側面視略三角形状に形成されている。
【００７３】
また、図８に示すように、内側筐体８１の外周面には、カートリッジ開口８３の周囲を取り囲むようにトナーシール１００が貼付されている。トナーシール１００は、内側筐体８１と外側筐体８２との間を、トナーが漏れないようにシールしている。
（２−２）外側筐体
外側筐体８２は、内側筐体８１の外周面を被覆する中空の略円柱形状に形成され、内側筐体８１を相対回転自在に収容している。すなわち、外側筐体８２は、内側筐体８１の外周に沿う断面視略円弧形状に形成されている。
【００７４】
また、外側筐体８２には、３つの外側筐体開口８４、左右１対のカートリッジ固定突起挿通穴９６およびカートリッジ支持部挿通穴９９が形成されている。また、外側筐体８２には、上端部において、前側に向かって開放され、内側筐体８１の被押圧部９４が挿通される被押圧部挿通穴（図示せず）が形成されている。
【００７５】
また、外側筐体８２は、左右１対のシャッタ固定突起８５、および、左右１対の係合片９８を備えている。
【００７６】
各外側筐体開口８４は、現像開口６４に対応するように、平面視略矩形状に形成され、左右に互いに間隔を隔てて直列配置されている。
【００７７】
両カートリッジ固定突起挿通穴９６は、外側筐体８２の左右両端部において、内側筐体８１のカートリッジ固定突起９１に対応するように配置されており、現像シャッタ６２のカートリッジ固定突起挿通穴６８とほぼ同等の前後方向長さの平面視略矩形状に形成されている。カートリッジ固定突起挿通穴９６には、カートリッジ固定突起９１が挿通されている。
【００７８】
カートリッジ支持部挿通穴９９は、外側筐体８２の左右両端面において、外側筐体８２の中心軸線上に配置され、内側筐体８１のカートリッジ支持部９５を受け入れ可能な側面視略円形状に貫通形成されている。カートリッジ支持部挿通穴９９には、内側筐体８１のカートリッジ支持部９５が左右内側から相対回転自在に挿通されている。
【００７９】
両シャッタ固定突起８５は、カートリッジ固定突起挿通穴９６の後端部の左右内側に配置され、下方に突出する略角柱形状に形成されている。
【００８０】
係合片９８は、カートリッジ支持部挿通穴９９の上側において、外側筐体８２の左右両面からそれぞれ突出するとともに前後に伸びる突条であり、外側筐体８２と中心軸線を共有する側面視略円弧形状に湾曲形成されている。
【００８１】
外側筐体８２は、外側筐体開口８４を閉鎖する閉位置（図５（ａ）参照）と、閉位置から左側面視時計周りに回動され、外側筐体開口８４を開放する開位置（図６参照）とに移動される。
【００８２】
外側筐体８２が閉位置にあるときには、外側筐体開口８４がカートリッジ開口８３よりも前方に配置され、カートリッジ開口８３が、外側筐体８２の内壁面により被覆されている（図５（ａ）参照）。これにより、カートリッジ開口８３に対するトナーの通過が規制される。
【００８３】
外側筐体８２が開位置にあるときには、外側筐体開口８４がカートリッジ開口８３に対向され、露出されている（図６参照）。これにより、カートリッジ開口８３に対するトナーの通過が許容される。
（２−３）把持部
把持部８７は、図７（ａ）に示すように、把持部材の一例としての第１把持部８８と第２把持部８９とを備えている。
【００８４】
第１把持部８８は、外側筐体８２の後端部の左右方向略中央において、左右に延びる突条であって、外側筐体８２が閉位置に配置されているときに後側に向かって突出するように形成されている。
【００８５】
第１把持部８８は、外側筐体８２が閉位置に配置されているときには、後側に向かって延びる第１位置に配置され、外側筐体８２が開位置に配置されているときには、後上側に向かって延びる第２位置に配置される。
【００８６】
また、第１把持部８８は、本体ケーシング２内において第１位置に配置されたときに、レーザービームの出射軌跡内に進出し（図１１のブラックトナーカートリッジ１４Ｋ参照）、本体ケーシング２内において第２位置に配置されたときに、レーザービームの出射軌跡から退避する（図１１のブラック以外のトナーカートリッジ１４参照）ような突出長さに形成されている。
【００８７】
第２把持部８９は、取っ手部材１０１と、左右１対の規制部材１０２とを備えている。
【００８８】
取っ手部材１０１は、後側が開放された平面視略Ｕ字形の平板形状に形成されており、その後端部において、第１把持部８８の後端部に回動自在に連結されている。また、取っ手部材１０１には、左右両面において、規制部材１０２の後端部を受け入れるスライド溝１０３が、前後方向に延びるように形成されている。
【００８９】
両規制部材１０２は、前後方向に湾曲しながら延びる杆状に形成されており、その前端部は、外側筐体８２の上端部に回動自在に連結されており、その後端部は、取っ手部材１０１のスライド溝１０３にスライド可能に嵌合されている。
【００９０】
第２把持部８９は、取っ手部材１０１が外側筐体８２の外周に接触されるように傾倒される傾倒状態と、取っ手部材１０１が外側筐体８２の外周から離間されるように起立される起立状態とに動作される。
【００９１】
詳しくは、第２把持部８９は、図５（ｂ）に示すように、傾倒状態にあるときには、両規制部材１０２が取っ手部材１０１のスライド溝１０３の後端部に嵌合され、左右方向に投影したときに、取っ手部材１０１と両規制部材１０２とが、ほぼ完全に重なるように傾倒される。
【００９２】
また、第２把持部８９は、図７（ｂ）に示すように、起立状態にあるときには、両規制部材１０２が取っ手部材１０１のスライド溝１０３の前端部に嵌合され、左右方向に投影したときに、取っ手部材１０１と両規制部材１０２とが、略Ｌ字形状を形成するように起立される。
３．本体ケーシング内の構成
本体ケーシング２は、図１に示すように、押圧部材１１１、読取部材の一例としてのパッチセンサ１１２、情報判断部材の一例としてのＣＰＵ１１３、および、押圧カム１１４（図９（ａ）参照）を備えている。
（１）押圧部材
押圧部材１１１は、本体ケーシング２の上端部において、トナーカートリッジ１４の被押圧部９４に対応するように４つ設けられ、被押圧部９４を上側から押圧する。
（２）パッチセンサおよびＣＰＵ
パッチセンサ１１２は、転写ユニット１１の駆動ローラ２２の斜め下側に設けられている。ＣＰＵ１１３は、パッチセンサ１１２に接続されている。
（３）押圧カム
押圧カム１１４は、図９に示すように、本体ケーシング２の左右両端部において、プロセスユニット１０に隣接するように設けられている。押圧カム１１４は、ブラック押圧カム１１５と、カラー押圧カム１１６とを備えている。
【００９３】
ブラック押圧カム１１５は、ブラック現像器１８Ｋに対応する離間カム３８に隣接するように配置され、ブラック現像器１８Ｋに対応する離間カム３８の操作部４９を上側から押圧する。ブラック押圧カム１１５は、駆動軸１１７とレバー部材１１８とを備えている。
【００９４】
駆動軸１１７は、前後方向に延び、本体ケーシング２内に回転自在に支持されている。駆動軸１１７は、本体ケーシング２から駆動力が入力されることにより回転される。
【００９５】
レバー部材１１８は、前後方向に延びる円筒部１１９と、円筒部１１９の周面から接線方向に延びるレバー部１２０とを一体的に備えている。
【００９６】
そして、レバー部材１１８の円筒部１１９に駆動軸１１７が相対回転不能に挿通されている。
【００９７】
カラー押圧カム１１６は、各色（イエロー、マゼンタ、シアン）の現像器１８に対応する離間カム３８に隣接するように配置され、各色の現像器１８に対応する離間カム３８の操作部４９を上側から押圧する。カラー押圧カム１１６は、１つの長尺な駆動軸１１７と、各色に対応する３つのレバー部材１１８とを備えている。
【００９８】
そして、各レバー部材１１８の円筒部１１９に、駆動軸１１７が相対回転不能に挿通され、１つの駆動軸１１７に各レバー部材１１８が一体的に保持されている。
４．本体ケーシングに対するトナーカートリッジの着脱
次いで、図８を参照して、本体ケーシングに対するトナーカートリッジの着脱を説明する。なお、予め、現像器１８の現像シャッタ６２、および、トナーカートリッジ１４の外側筐体８２は、ともに閉位置に配置されているものとする。
【００９９】
本体ケーシング２にトナーカートリッジ１４を装着するには、まず、ドロワユニット１３を本体ケーシング２から引き出して引出位置に配置させ、ドロワユニット１３にトナーカートリッジ１４を装着する。
【０１００】
ドロワユニット１３にトナーカートリッジ１４を装着するには、まず、被押圧部９４が前側に配置されるとともに、カートリッジ固定突起９１およびシャッタ固定突起８５が下側に配置されるように、トナーカートリッジ１４の第２把持部８９（起立状態）を把持して、カートリッジ支持部９５をカートリッジガイド溝３５の上に位置合わせし、トナーカートリッジ１４をドロワユニット１３に上から挿入する。
【０１０１】
すると、図８においてブラックトナーカートリッジ１４Ｋとして示すように、カートリッジ支持部９５がカートリッジガイド溝３５に嵌合され、トナーカートリッジ１４がドロワユニット１３に装着される。
【０１０２】
このとき、内側筐体８１のカートリッジ固定突起９１が、現像シャッタ６２のカートリッジ固定突起挿通穴に挿通されて、現像器１８のカートリッジ固定穴６５に嵌合され、内側筐体８１と現像器１８とが固定される。また、外側筐体８２のシャッタ固定突起８５が、現像シャッタ６２のシャッタ固定穴６７に嵌合され、外側筐体８２と現像シャッタ６２とが固定される。また、外側筐体８２の係合片９８が、ドロワフレーム３１の外側筐体嵌合溝３７に対して前後方向に対向される。
【０１０３】
次いで、トナーカートリッジ１４の第２把持部８９を、傾倒状態にする。詳しくは、規制部材１０２の後端部を、取っ手部材１０１のスライド溝１０３内を後方にスライドさせながら、取っ手部材１０１を傾倒させる。
【０１０４】
次いで、トナーカートリッジ１４の第１把持部８７を把持し、外側筐体８２を前方に向かって回動させる。
【０１０５】
すると、図８においてブラック以外のトナーカートリッジ１４として示すように、外側筐体８２が、内側筐体８１のカートリッジ支持部９５を中心として回動され、開位置に配置される。また、外側筐体８２とともに、現像シャッタ６２も開位置に配置される。
【０１０６】
これにより、内側筐体８１のカートリッジ開口８３、外側筐体８２の外側筐体開口８４、現像シャッタ６２の現像シャッタ開口６６、および、現像器１８の現像開口６４がすべて連通され、内側筐体８１から現像器１８へのトナーの通過が許容される。
【０１０７】
また、外側筐体８２の係合片９８が、ドロワフレーム３１の外側筐体嵌合溝３７に遊嵌される。
【０１０８】
そして、トナーカートリッジ１４が装着されたドロワユニット１３を、本体ケーシング２内に収容して収容位置に配置させると、本体ケーシング２へのトナーカートリッジ１４の装着が完了される。
【０１０９】
なお、本体ケーシング２からトナーカートリッジ１４を離脱させるには、トナーカートリッジ１４を本体ケーシング２に装着したときと逆の手順で操作する。
【０１１０】
つまり、ドロワユニット１３を引出位置に配置させた後、まず、第１把持部８８を把持してトナーカートリッジ１４を後方へ向かって回動させる。次いで、第２把持部８９の取っ手部材１０１を引き上げて第２把持部８９を起立状態にさせ、引き続き、トナーカートリッジ１４を上側に引き抜き、ドロワユニット１３から離脱させる。
【０１１１】
本体ケーシング２へのトナーカートリッジ１４の装着が完了されると、図９（ａ）および図９（ｂ）に示すように、各色に対応する離間カム３８の操作部４９の上に、それぞれ、対応する押圧カム１１４のレバー部１２０が配置される。
【０１１２】
また、図１０（ａ）に示すように、各トナーカートリッジ１４の被押圧部９４が、本体ケーシング２の押圧部材１１１によって上側から押圧される。
【０１１３】
このとき、トナーカートリッジ１４は、現像器１８に対して一体的に装着されている。そのため、トナーカートリッジ１４の被押圧部９４が押圧されると、トナーカートリッジ１４とともに現像器１８が感光ドラム１５に向かって押圧される。
【０１１４】
一方、離間カム３８の操作杆４８に対する圧縮ばね５１の付勢力は、押圧部材１１１が被押圧部９４を押圧する押圧力よりも大きく設定されている。
【０１１５】
そのため、離間カム３８は、常には、圧縮ばね５１の付勢力により、左側面視反時計回りに回動され、当接部５０において、現像器１８の現像ローラ軸６９を前方に向かって押圧している。
【０１１６】
これにより、図１０（ｂ）に示すように、現像器１８は、常には、感光ドラム１５から離間されている。
【０１１７】
すなわち、離間カム３８が、現像器１８を感光ドラム１５から離間させるときに現像器１８を押圧する押圧力は、押圧部材１１１が、現像器１８を押圧する押圧力よりも大きい。
５．外側筐体の開閉検知
本体ケーシング２にトナーカートリッジ１４が装着されると、まず、上述した現像動作および転写動作により、搬送ベルト２４の表面に直接トナーを転写し、テストパターン（パッチ）を形成する。
【０１１８】
そして、搬送ベルト２４の周回移動により、テストパターンがパッチセンサ１１２と対向すると、パッチセンサ１１２は、テストパターンを読み取り、各色の位置ずれや画像濃度を計測する。
【０１１９】
このようにして、各色の位置ずれや画像濃度が計測される。
【０１２０】
このとき、同時に、トナーカートリッジ１４の外側筐体８２の開閉を検知する。
【０１２１】
詳しくは、図１１に示すように、外側筐体８２が開位置に配置されているとき（ブラック以外のトナーカートリッジ１４参照）には、第１把持部８８は、後上側に向かって延びる第２位置に配置されており、レーザービームの出射軌跡から前方に退避されている。
【０１２２】
これにより、第１把持部８８は、スキャナユニット９から感光ドラム１５へのレーザービームを遮蔽しない。そのため、レーザービームが感光ドラム１５に照射され、テストパターンを形成することができる。
【０１２３】
対して、外側筐体８２が閉位置に配置されているとき（ブラックトナーカートリッジ１４Ｋ参照）には、第１把持部８８は、後側に向かって延びる第１位置に配置されており、レーザービームの出射軌跡内に進出されている。すなわち、外側筐体８２の開閉は、第１把持部８８の移動に連動している。
【０１２４】
これにより、第１把持部８８は、スキャナユニット９から感光ドラム１５へのレーザービームを遮蔽する。そのため、レーザービームが感光ドラム１５に照射されず、テストパターンを形成することができない。
【０１２５】
つまり、第１把持部８８は、遮蔽部材としても機能し、外側筐体８２が閉位置に配置されているトナーカートリッジ１４に対応する色のみ、テストパターンを形成することができない。
【０１２６】
そして、パッチセンサ１１２において読み取ったテストパターンに欠如している色があれば、パッチセンサ１１２からＣＰＵ１１３に欠如している色の情報が送信される。
【０１２７】
すると、ＣＰＵ１１３は、パッチセンサ１１２から受信した欠如している色の情報に基づいて、その色に対応するトナーカートリッジ１４の第１把持部８８が第２位置に配置されておらず、すなわち、その色に対応する外側筐体８２が開位置に配置されていないと判断する。
【０１２８】
なお、ＣＰＵ１１３が欠如している色の情報を受信しないときには、ＣＰＵ１１３は、すべての色に対応する外側筐体８２が開位置に配置されていると判断する。
【０１２９】
これらの情報は、図示しない表示パネルなどにエラーとして表示される。
６．現像器の接離
カラーレーザプリンタ１では、カラー画像を形成するカラーモードと、黒色の画像を形成するモノクロモードとを切り替えることができる。
（１）カラーモード
カラーモードでは、図１３（ｂ）に示すように、すべての現像器１８の現像ローラ１９と、すべての感光ドラム１５とが接触される。
【０１３０】
すべての現像器１８の現像ローラ１９と、すべての感光ドラム１５とを接触させるには、図１２に示すように、ブラック押圧カム１１５とカラー押圧カム１１６とを両方回動させる。
【０１３１】
すると、各押圧カム１１４のレバー部１２０が、対応する離間カム３８の操作部４９に上側から当接され、離間カム３８の操作部４９が、圧縮ばね５１の付勢力に抗して下方へ移動される。
【０１３２】
すると、図１３（ａ）に示すように、各離間カム３８が左側面視時計回りに回動されることにより、各当接部５０が対応する現像ローラ軸６９から後方に退避され、各当接部５０の対応する現像ローラ軸６９に対する押圧が解除される。
【０１３３】
すると、各押圧部材１１１の押圧力により、各現像器１８が、トナーカートリッジ１４のカートリッジ支持部９５を回転中心として、トナーカートリッジ１４と一体的に、左側面視時計回りに揺動される。
【０１３４】
これにより、すべての現像器１８の現像ローラ１９と、すべての感光ドラム１５とが互いに接触される。すなわち、各離間カム３８は、対応する現像ローラ軸６９に対する押圧を解除することにより、現像器１８の現像ローラ１９の感光ドラム１５への接触を許可する。
（２）モノクロモード
モノクロモードでは、図１５（ｂ）に示すように、ブラック現像器１８Ｋの現像ローラ１９と、ブラック感光ドラム１５Ｋとが接触されるとともに、ブラック以外の現像器１８の現像ローラ１９と、ブラック以外の感光ドラム１５とが離間される。
【０１３５】
この場合には、図１４に示すように、ブラック押圧カム１１５を回動させ、カラー押圧カム１１６を回動させない。
【０１３６】
すると、図１５（ａ）に示すように、ブラック現像器１８Ｋに対応する離間カム３８のみが左側面視時計回りに回動され、ブラック現像器１８Ｋに対応する当接部５０の現像ローラ軸６９に対する押圧が解除される。
【０１３７】
すると、押圧部材１１１の押圧力により、ブラック現像器１８Ｋが、ブラックトナーカートリッジ１４Ｋのカートリッジ支持部９５を回転中心として、ブラックトナーカートリッジ１４Ｋと一体的に、左側面視時計回りに揺動される。
【０１３８】
なお、ブラック以外の現像器１８の現像ローラ１９は、対応する離間カム３８の押圧により、対応する感光ドラム１５から離間されている。
【０１３９】
これにより、ブラック現像器１８Ｋの現像ローラ１９と、ブラック感光ドラム１５Ｋとが接触されるとともに、ブラック以外の現像器１８の現像ローラ１９と、ブラック以外の感光ドラム１５とが離間される。
７．作用効果
（１）このカラーレーザプリンタ１によれば、図１５に示すように、トナーカートリッジ１４は、ドロワユニット１３に支持されるカートリッジ支持部９５を備え、現像器１８がトナーカートリッジ１４のカートリッジ支持部９５を中心として揺動されることにより、現像ローラ１９が感光ドラム１５に対して接触または離間される。
【０１４０】
そのため、カートリッジ支持部９５において、トナーカートリッジ１４をドロワユニット１３に対して容易に位置決めすることができ、位置決めされたトナーカートリッジ１４のカートリッジ支持部９５を中心として、すなわち、トナーカートリッジ１４をドロワユニット１３に対して位置固定した状態で、現像器１８を揺動させることができる。
【０１４１】
その結果、現像器１８の現像ローラ１９が感光ドラム１５に対して接離可能に構成されている場合であっても、トナーカートリッジ１４をドロワユニット１３に対して容易に着脱させることができる。
（２）このカラーレーザプリンタ１によれば、図１５に示すように、現像器１８は、トナーカートリッジ１４と一体的に揺動される。
【０１４２】
そのため、現像器１８を揺動させたときに、現像器１８とトナーカートリッジ１４との間からトナーが漏れることを防止することができる。
（３）このカラーレーザプリンタ１によれば、図１に示すように、現像器１８を感光ドラム１５に向かって押圧する押圧部材１１１を備えている。
【０１４３】
そのため、現像器１８の現像ローラ１９と、感光ドラム１５とを確実に接触させることができる。
（４）このカラーレーザプリンタ１によれば、図１５に示すように、現像器１８の現像ローラ１９を感光ドラム１５に対して離間させる離間カム３８は、当接部５０において現像器１８を押圧することにより、現像器１８の現像ローラ１９を感光ドラム１５から離間させ、当接部５０における現像器１８に対する押圧を解除することにより、現像器１８の現像ローラ１９の感光ドラム１５に対する接触を許可する。
【０１４４】
そのため、離間カム３８の現像器１８に対する押圧または押圧解除により、確実に、現像器１８の現像ローラ１９を感光ドラム１５に対して接触または離間させることができる。
（５）このカラーレーザプリンタ１によれば、離間カム３８が、現像器１８の現像ローラ１９を感光ドラム１５から離間させるときに現像器１８を押圧する押圧力は、押圧部材１１１が、現像器１８を押圧する押圧力よりも大きい。
【０１４５】
そのため、押圧部材１１１によって現像器１８を感光ドラム１５に向かって押圧できながら、離間カム３８によって現像器１８を押圧したときには、確実に、現像器１８の現像ローラ１９を感光ドラム１５から離間させることができる。
（６）このカラーレーザプリンタ１によれば、図５に示すように、中空の略円柱形状のトナーカートリッジ１４の中心軸線上に、カートリッジ支持部９５が設けられている。
【０１４６】
そのため、カートリッジ支持部９５を中心として、トナーカートリッジ１４の外周に沿うように、現像器１８を揺動させることができる。
【０１４７】
その結果、トナーカートリッジ１４をドロワユニット１３に対して位置固定した状態で、現像器１８を揺動させることができる。
（７）このカラーレーザプリンタ１によれば、図５および図６に示すように、トナーカートリッジ１４は、内側筐体８１のカートリッジ開口８３を露出してトナーの通過を許容する開位置と、内側筐体８１のカートリッジ開口８３を被覆してトナーの通過を規制する閉位置とに移動可能な外側筐体８２を備え、外側筐体８２は把持部８７を備えている。
【０１４８】
そのため、把持部８７を操作することにより、確実に外側筐体８２を開閉させることができ、トナーカートリッジ１４をドロワユニット１３から離脱させるときには、外側筐体８２を閉位置に配置してトナーの通過を規制することができ、トナーカートリッジ１４をドロワユニット１３に装着したときには、外側筐体８２を開位置に配置してトナーの通過を許容することができる。
【０１４９】
その結果、トナーカートリッジ１４をドロワユニット１３に対して着脱させるときに、トナーが漏れることを確実に防止することができる。
（８）このカラーレーザプリンタ１によれば、図５および図６に示すように、トナーカートリッジ１４は、トナーカートリッジ１４が感光体ユニットに装着されたときに内側筐体８１を現像フレーム６１に固定するためのカートリッジ固定突起９１を備えている。
【０１５０】
そのため、トナーカートリッジ１４がドロワユニット１３に装着されたときに、トナーカートリッジ１４と現像フレーム６１とを互いに固定することができる。
【０１５１】
その結果、確実に、現像器１８とトナーカートリッジ１４とを一体的に揺動させることができる。
（９）このカラーレーザプリンタ１によれば、図５および図６に示すように、現像器１８は、現像フレーム６１の現像開口６４を露出してトナーの通過を許容する開位置と、現像フレーム６１の現像開口６４を被覆してトナーの通過を規制する閉位置とに移動可能な現像シャッタ６２を備え、トナーカートリッジ１４は、トナーカートリッジ１４がドロワユニット１３に装着されたときに外側筐体８２を現像シャッタ６２に固定するためのシャッタ固定突起８５を備えている。
【０１５２】
そのため、現像シャッタ６２を外側筐体８２と一体的に開閉させることができ、トナーカートリッジ１４をドロワユニット１３から離脱させるときには、外側筐体８２とともに現像シャッタ６２を閉位置に配置してトナーの通過を規制することができ、トナーカートリッジ１４をドロワユニット１３に装着したときには、外側筐体８２とともに現像シャッタ６２を開位置に配置してトナーの通過を許容することができる。
【０１５３】
その結果、トナーカートリッジ１４をドロワユニット１３に対して着脱させるときに、トナーが漏れることをより確実に防止することができる。
（１０）このカラーレーザプリンタ１によれば、図５および図６に示すように、内側筐体８１は、中空の略円柱形状に形成されており、外側筐体８２は、内側筐体８１の外周に沿う断面略円弧形状に形成され、内側筐体８１に対して回動されることにより開閉される。
【０１５４】
そのため、外側筐体８２を、内側筐体８１の外周に沿って回動させることによって、開閉させることができる。
【０１５５】
その結果、外側筐体８２を開閉させる空間を、内側筐体８１の外周に効率よく設けることができ、省スペース化を図ることができる。
（１１）このカラーレーザプリンタ１によれば、図５および図６に示すように、外側筐体８２は、カートリッジ支持部９５を中心として回動される。
【０１５６】
そのため、トナーカートリッジ１４をドロワユニット１３に対して位置固定した状態で、外側筐体８２を開閉させることができる。
（１２）このカラーレーザプリンタ１によれば、ドロワユニット１３の側板３２に形成されるカートリッジガイド溝３５に、トナーカートリッジ１４のカートリッジ支持部９５が支持され、トナーカートリッジ１４の着脱が案内される。
【０１５７】
そのため、トナーカートリッジ１４をドロワユニット１３に対して確実に着脱させ、位置決めすることができる。
（１３）このカラーレーザプリンタ１によれば、図３に示すように、ドロワユニット１３の１対の側板３２には、現像器１８を揺動可能に保持する１対の現像器支持溝３９が形成されている。
【０１５８】
そのため、現像器支持溝３９に沿って、現像器１８を確実に揺動させることができる。
（１４）このカラーレーザプリンタ１によれば、図１１に示すように、トナーカートリッジ１４の外側筐体８２が、閉位置に配置されているときには、第１把持部８８が、スキャナユニット９から感光ドラム１５へのレーザービームを遮蔽する第１位置に配置され、トナーカートリッジ１４の外側筐体８２が、開位置に配置されているときには、第１把持部８８が、スキャナユニット９から感光ドラム１５へのレーザービームを遮蔽しない第２位置に配置される。
【０１５９】
そのため、トナーカートリッジ１４の外側筐体８２が閉位置に配置されているときには、第１把持部８８によって、スキャナユニット９から感光ドラム１５へのレーザービームを遮蔽することができ、画像形成を制限することができる。
【０１６０】
その結果、外側筐体８２が閉位置に配置された状態で、トナーカートリッジ１４が本体ケーシング２に装着されたときに、本体ケーシング２の誤動作を防止することができる。
（１５）このカラーレーザプリンタ１によれば、図１１に示すように、第１把持部８８は、遮蔽部材として機能する。
【０１６１】
そのため、別途、遮蔽部材を備えることなく、第１把持部８８を遮蔽部材とすることができ、トナーカートリッジ１４の部品点数を低減させることができる。
（１６）このカラーレーザプリンタ１によれば、図１に示すように、テストパターンを読み取るパッチセンサ１１２と、パッチセンサ１１２が読み取ったテストパターンに基づいて、第１把持部８８が第２位置に配置されているか否かを判断するＣＰＵ１１３とを備えている。
【０１６２】
そのため、テストパターンの読取動作を利用して、第１把持部８８が第２位置に配置されているか否かを判断することができる。
（１７）このカラーレーザプリンタ１によれば、図１１に示すように、外側筐体８２の開閉は、第１把持部８８の移動に連動している。
【０１６３】
そのため、外側筐体８２を開位置に配置したときに、確実に、第１把持部８８をレーザービームの出射軌跡内から退避させることができる。
【０１６４】
その結果、外側筐体８２を開位置に配置したときに、確実に画像形成動作を実施することができる。
【符号の説明】
【０１６５】
１      カラーレーザプリンタ
２      本体ケーシング
９      スキャナユニット
１０    プロセスユニット
１３    ドロワユニット
１４    トナーカートリッジ
１５    感光ドラム
１８    現像器
１９    現像ローラ
３５    カートリッジガイド溝
３８    離間カム
３９    現像器支持溝
６１    現像フレーム
６２    現像シャッタ
６４    現像開口
８１    内側筐体
８２    外側筐体
８３    カートリッジ開口
８５    シャッタ固定突起
８７    把持部
９１    カートリッジ固定突起
９５    カートリッジ支持部
１１１  押圧部材
１１２  パッチセンサ
１１３  ＣＰＵ
【図１】
0005257417.tif 000002
【図２】
0005257417.tif 000003
【図３】
0005257417.tif 000004
【図４】
0005257417.tif 000005
【図５】
0005257417.tif 000006
【図６】
0005257417.tif 000007
【図７】
0005257417.tif 000008
【図８】
0005257417.tif 000009
【図９】
0005257417.tif 000010
【図１０】
0005257417.tif 000011
【図１１】
0005257417.tif 000012
【図１２】
0005257417.tif 000013
【図１３】
0005257417.tif 000014
【図１４】
0005257417.tif 000015
【図１５】
0005257417.tif 000016